(57)【要約】【課題】駐車中の容量低下を抑制しつつ、電流遮断装置の解除操作の手間を軽減する。【解決手段】車両に搭載されるバッテリ装置２０であって、エンジン始動装置１０Ａを含む負荷１０に対して電力を供給する組電池３０と、前記組電池３０から負荷１０への電流を遮断する電流遮断装置４５と、制御部７０と、を備え、前記制御部７０は、前記車両の駐車状態を検出した場合、前記電流遮断装置４５を作動させて、前記組電池３０から前記負荷１０への電流を遮断する電流遮断処理を実行し、前記電流遮断処理の実行後、ユーザが運転開始前に車両に対して行う事前動作を検出した場合、前記電流遮断装置４５の作動を解除することにより電流の遮断を解除する。【選択図】図１
2017136901.tif 000002
【特許請求の範囲】
【請求項１】
車両に搭載されるバッテリ装置であって、
エンジン始動装置を含む負荷に対して電力を供給する蓄電素子と、
前記蓄電素子から負荷への電流を遮断する電流遮断装置と、
制御部と、を備え、
前記制御部は、
前記車両の駐車状態を検出した場合、前記電流遮断装置を作動させて、前記蓄電素子から前記負荷への電流を遮断する電流遮断処理を実行し、
前記電流遮断処理の実行後、ユーザが運転開始前に車両に対して行う事前動作を検出した場合、前記電流遮断装置の作動を解除することにより電流の遮断を解除する、バッテリ装置。
【請求項２】
請求項１に記載のバッテリ装置であって、
前記バッテリ装置の変位を検出する変位検出部を備え、
前記制御部は、前記車両の駐車中に前記バッテリ装置に変位が検出された場合、前記事前動作が実行されたと判断する、バッテリ装置。
【請求項３】
請求項１に記載のバッテリ装置であって、
前記制御部は、前記事前動作に応答して動作する外部スイッチの出力に基づいて、前記事前動作の実行を判断する、バッテリ装置。
【請求項４】
請求項３に記載のバッテリ装置であって、
前記外部スイッチは機械式のスイッチであり、前記車両に設置されている、バッテリ装置。
【請求項５】
請求項１から請求項４のいずれか一項に記載のバッテリ装置であって、
前記蓄電素子の電流を検出する電流検出部を備え、
前記制御部は、所定値以上の電流が流れていない状態が所定期間継続した場合に、車両は駐車状態であると判断する、バッテリ装置。
【請求項６】
請求項１から請求項４のいずれか一項に記載のバッテリ装置であって、
前記バッテリ装置の変位を検出する変位検出部を備え、
前記制御部は、前記バッテリ装置に変位がない状態が所定期間継続した場合に、車両は駐車状態であると判断する、バッテリ装置。
【請求項７】
請求項１から請求項６のいずれか一項に記載のバッテリ装置であって、
前記制御部は、前記車両の駐車状態を検出し、かつ前記蓄電素子の容量が規定値になった場合に、前記電流遮断装置を作動させて、前記蓄電素子から前記負荷への電流を遮断する電流遮断処理を実行する、バッテリ装置。
【請求項８】
請求項１から請求項７のいずれか一項に記載のバッテリ装置であって、
前記制御部は、
前記電流遮断装置の実行後、前記事前動作を検出し、かつ前記バッテリ装置が正常であること条件に電流の遮断を解除し、前記事前動作を検出しても前記バッテリ装置が異常である場合は電流の遮断を解除しない、バッテリ装置。
【請求項９】
請求項８に記載のバッテリ装置であって、
前記制御部は、
車両の駐車状態を検出した場合に加えて、前記バッテリ装置の異常を検出した場合にも、前記電流遮断装置を作動させて、前記蓄電素子から前記負荷への電流を遮断する電流遮断処理を実行する、バッテリ装置。
【請求項１０】
請求項１から請求項９のいずれか一項に記載のバッテリ装置であって、
前記制御部は、
前記事前動作の検出に応答して前記電流遮断装置の作動を解除した後、所定期間内に車両が駐車状態から走行状態に移行しなければ、前記電流遮断装置を再び作動させて、前記蓄電素子から前記負荷への電流を遮断する、バッテリ装置。
【請求項１１】
請求項１から請求項１０のいずれか一項に記載のバッテリ装置であって、
前記バッテリ装置は、外部に露出されない状態で前記車両に配置されている、バッテリ装置。
【請求項１２】
請求項１から請求項１０のうちいずれか一項に記載のバッテリ装置であって、
前記蓄電素子は、リチウムイオン二次電池である、バッテリ装置。
【請求項１３】
請求項１から請求項１２のうちいずれか一項に記載のバッテリ装置を搭載した車両。
【請求項１４】
請求項１から請求項１２のうちいずれか一項に記載のバッテリ装置を搭載したオートマチック車両。
【発明の詳細な説明】
【技術分野】
【０００１】
本発明は、バッテリの電流を遮断する電流遮断装置の制御に関する。
【背景技術】
【０００２】
例えば、下記特許文献１には、エンジン停止中に、放電量検出器の出力が設定値を超えた場合、バッテリリレーをオフして、バッテリから全電気負荷を切り離すことで、バッテリあがりを抑制する点が記載されている。
【先行技術文献】
【特許文献】
【０００３】
【特許文献１】実開昭６２−７４４５５号公報
【発明の概要】
【発明が解決しようとする課題】
【０００４】
ところで、エンジン停止中に、エンジン始動用バッテリの電流遮断装置を作動させると、バッテリから車両へ電力が供給できなくなる。そのため、セルモータ等のエンジン始動装置を回すことが出来ず、クランキング出来ない状態になることから、運転前に、電流遮断装置の作動を解除する必要がある。しかし従来は、電流遮断装置の作動を解除するためには、バッテリに組み込まれた解除スイッチの操作や、バッテリへの充電作業が必要であった。こうした解除スイッチの操作や充電を行うには、例えば、ボンネット等を空けるなどして、車載されたバッテリにユーザ自身がアクセスすることがまず必要であり、手間がかかっていた。
本発明は、上記のような事情に基づいて完成させたものであって、駐車中の容量低下を抑制しつつ、電流遮断装置の解除操作の手間を軽減することを課題とする。
【課題を解決するための手段】
【０００５】
本明細書によって開示されるバッテリ装置は、車両に搭載されるバッテリ装置であって、エンジン始動装置を含む負荷に対して電力を供給する蓄電素子と、前記蓄電素子から負荷への電流を遮断する電流遮断装置と、制御部と、を備え、前記制御部は、前記車両の駐車状態を検出した場合、前記電流遮断装置を作動させて、前記蓄電素子から前記負荷への電流を遮断する電流遮断処理を実行し、前記電流遮断処理の実行後、ユーザが運転開始前に車両に対して行う事前動作を検出した場合、前記電流遮断装置の作動を解除することにより電流の遮断を解除する。
【発明の効果】
【０００６】
本明細書によって開示されるバッテリ装置によれば、駐車中の容量低下を抑制しつつ、電流遮断装置の解除操作の手間を軽減することが可能となる。
【図面の簡単な説明】
【０００７】
【図１】実施形態１に適用されたバッテリパックの電気的構成を示すブロック図
【図２】電流遮断実行制御の処理の流れを示すフローチャート図
【図３】電流遮断解除制御の処理の流れを示すフローチャート図
【図４】駐車後における電流遮断装置の作動状態、電源ラインの接続状態の遷移をまとめた図表
【図５】実施形態３に適用された電流遮断解除制御の処理の流れを示すフローチャート図
【図６】実施形態４に適用された電流遮断解除制御の処理の流れを示すフローチャート図
【図７】実施形態５に適用された電流遮断実行制御の処理の流れを示すフローチャート図
【図８】実施形態５に適用された電流遮断解除制御の処理の流れを示すフローチャート図
【図９】実施形態６に適用された電流遮断解除制御の処理の流れを示すフローチャート図
【図１０】実施形態７に適用されたバッテリパックの電気的構成を示すブロック図
【発明を実施するための形態】
【０００８】
（本実施形態の概要）
初めに、本実施形態にて開示する車両に搭載されるバッテリ装置の概要について説明する。バッテリ装置は、エンジン始動装置を含む負荷に対して電力を供給する蓄電素子と、前記蓄電素子から負荷への電流を遮断する電流遮断装置と、制御部と、を備え、前記制御部は、前記車両の駐車状態を検出した場合、前記電流遮断装置を作動させて、前記蓄電素子から前記負荷への電流を遮断する電流遮断処理を実行し、前記電流遮断処理の実行後、ユーザが運転開始前に車両に対して行う事前動作を検出した場合、前記電流遮断装置の作動を解除することにより電流の遮断を解除する。
【０００９】
本構成では、車両の駐車状態を検出すると、制御部が電流遮断装置を作動させ、蓄電素子から負荷への電流を遮断する。そのため、駐車中に蓄電素子の容量が低下するのを抑えることが出来、駐車した車両を走行させる時に、クランキング出来なくなることを防止できる。また、運転開始前の事前動作を検出して、制御部が電流遮断装置の作動を自動的に解除する。そのため、電流遮断装置の解除操作の手間を軽減することが可能である。
【００１０】
また、本実施形態にて開示するバッテリ装置の実施態様として、以下の構成が好ましい。
【００１１】
前記バッテリ装置の変位を検出する変位検出部を備え、前記制御部は、車両が駐車状態である時に前記バッテリ装置に変位が検出された場合、前記事前動作が実行されたと判断する。本構成では、ユーザがドアを開閉したりシートに乗り込んだりするなど、車体の振動を伴うような、運転開始前の事前動作を検出できる。
【００１２】
前記制御部は、前記事前動作に応答して動作する外部スイッチの出力に基づいて、前記事前動作の実行を判断する。本構成では、外部スイッチの出力に基づいて、運転開始前の事前動作を検出するため、バッテリ装置の構成を簡素化することが出来る。
【００１３】
前記外部スイッチは機械式のスイッチであり、前記車両に設置されている。機械式のスイッチであれば、車両からの振動に強く、半導体式のスイッチに比べて故障が少ない。また、誤動作が生じ難い。
【００１４】
前記蓄電素子の電流を検出する電流検出部を備え、前記制御部は、所定値以上の電流が流れていない状態が所定期間継続した場合に、車両は駐車状態であると判断する。本構成では、電流検出部の出力を利用して、駐車状態の検出を行うことができる。
【００１５】
前記バッテリ装置の変位を検出する変位検出部を備え、前記制御部は、前記バッテリ装置に変位がない状態が所定期間継続した場合に、車両は駐車状態であると判断する。
【００１６】
前記制御部は、前記車両の駐車状態を検出し、かつ前記蓄電素子の容量が規定値になった場合に、前記電流遮断装置を作動させて、前記蓄電素子から前記負荷への電流を遮断する電流遮断処理を実行する。本構成では、車両の駐車状態を検出した以降でも、蓄電素子の容量が規定値になるまでの間は蓄電素子を使用することが出来る。そのため、バッテリ装置の使用可能期間が長くなる。
【００１７】
前記制御部は、前記電流遮断装置の実行後、前記事前動作を検出し、かつ前記バッテリ装置が正常であること条件に、電流の遮断を解除し、前記事前動作を検出しても前記バッテリ装置が異常である場合は電流の遮断を解除しない。本構成では、蓄電素子が異常である場合、そのバッテリ装置が使用されることを抑制することが出来る。
【００１８】
前記制御部は、車両の駐車状態を検出した場合に加えて前記バッテリ装置の異常を検出した場合にも、前記電流遮断装置を作動させて、前記蓄電素子から前記負荷への電流を遮断する電流遮断処理を実行する。本構成では、バッテリ装置が異常である場合、そのバッテリ装置が使用されることを抑制することが出来る。
【００１９】
前記制御部は、前記事前動作の検出に応答して前記電流遮断装置の作動を解除した後、所定期間内に車両が駐車状態から走行状態に移行しなければ、前記電流遮断装置を再び作動させて、前記蓄電素子から前記負荷への電流を遮断する。本構成では、運転開始前の事前動作を検出しても、その後、車両が走行しなかった場合は、電流を遮断するので、蓄電素子の容量が低下することをより一層抑えることが可能となる。
【００２０】
バッテリ装置が車両に対して外部に露出されない状態で配置されている場合、バッテリ装置に対するユーザのアクセス性が悪くなることから、電流遮断装置を作動して負荷への電流を遮断すると、それを解除するのに、非常に手間がかかる。本発明を、車両に対して外部に露出されない状態で配置されたバッテリ装置に対して適用することで、電流遮断装置の解除操作の手間を大幅に軽減することが可能である。
【００２１】
尚、「外部に露出されない状態で配置」とは、車外から見てバッテリ装置が見えないこと、又は車室内のユーザから見てバッテリ装置が見えないことを意図し、これに該当する配置例としては、自動四輪車の場合、例えば、エンジンルーム内、トランクルーム内など、閉じられた収容空間に配置される場合を例示することが出来る。また、それ以外にも、フロアに設けられた収容部に対してカーペットやカバーなどで覆われて収容されている場合を例示することが出来る。また、座席に隠された状態で、座席下部に配置されている場合も含まれる。
【００２２】
また、バッテリ装置の設置対象の車両は、自動四輪車だけでなく、自動二輪車も含まれる。自動二輪車の場合、「外部に露出されない状態で配置」とは、例えば、バッテリ装置がシート内に格納された状態で収容される場合を例示することが出来る。また、それ以外にも、フロントカバーやサイドカバーなどのカバー類により、周りを囲まれた状態で車体に取り付けられている場合を例示することが出来る。
【００２３】
また、蓄電素子は、リチウムイオン二次電池であることが好ましい。リチウムイオン二次電池は、電池の特性から、電池の状態（電流値や電圧値など）を監視する監視装置を備えている。そのため、監視装置の機能を利用することで、電流検出部や制御部を追加することなく、電流遮断装置を制御するシステムを構成することが可能となる。そのため、ハードウエアの追加が少なくて済み、コストアップが少ない。
【００２４】
また、車両はオートマチック車であることが好ましい。オートマチック車は、セルモータ等のエンジン始動装置を駆動させる以外、クランキング出来ないことから、エンジン始動装置が駆動できない状態にならないように、バッテリの容量を特に維持しておく必要がある。本技術の適用により、バッテリの容量を維持することが出来るようになるため、クランキングできなくなることで、オートマチック車が走行不能になることを未然に防止することが可能となる。
【００２５】
＜実施形態１＞
実施形態１について図１〜図４を参照して説明する。
１．バッテリパック２０の構成
図１は、本実施形態におけるバッテリパック２０の電気的構成を示すブロック図である。バッテリパック２０は、例えば、自動四輪車（好ましくは自動変速機を装備したオートマチック車）のエンジンルームなどの閉じられた収容空間や、フロアに設けられた収容部に対してカーペットやカバーなどで覆われて収容された状態で搭載される。バッテリパック２０は、エンジン始動装置１０Ａの電源として機能する。また、バッテリパック２０の負荷１０には、エンジン始動装置（具体的にはセルモータ）１０Ａ以外にも、ヘッドライド、車内灯、オーディオ、時計、セキュリティ装置、車載ＥＣＵなど複数の電気機器１０Ｂが含まれており、バッテリパック２０には、これら複数の負荷１０Ａ、１０Ｂが並列接続されている。また、車両発電機１１も並列接続されており、バッテリパック２０は、エンジン始動装置１０Ａを含む各負荷１０に対して電力を供給すると共に、車両発電機（オルタネータ）１１より充電を受ける。尚、図１に示す符号２１はバッテリパック２０の正極端子、符号２２は負極端子である。
【００２６】
図１に示すように、バッテリパック２０は、組電池３０と、電流検出抵抗４１と、サーミスタ４３と、電流遮断装置４５と、変位検出部４７と、組電池３０を管理するバッテリマネージャ（以下、ＢＭ）５０を有する。組電池３０は、直列接続された複数のリチウムイオン二次電池３１から構成されている。尚、バッテリパック２０が本発明の「バッテリ装置」の一例、電流検出抵抗４１が「電流検出部」の一例である。また、リチウムイオン二次電池３１が「蓄電素子」の一例である。
【００２７】
組電池３０、電流検出抵抗４１、電流遮断装置４５は、電力ライン３５を介して、直列に接続されている。本例では、電流検出抵抗４１を負極側、電流遮断装置４５を正極側に配置しており、電流検出抵抗４１は負極端子２２、電流遮断装置４５は、正極端子２１にそれぞれ接続されている。
【００２８】
電流検出抵抗４１は、組電池３０に流れる電流を検出する機能を果たす。サーミスタ４３は接触式あるいは非接触式で、組電池３０の温度［℃］を測定する機能を果たす。電流検出抵抗４１とサーミスタ４３は、信号線によってＢＭ５０に接続されており、電流検出抵抗４１やサーミスタ４３の検出値は、ＢＭ５０に取り込まれる構成になっている。
【００２９】
電流遮断装置４５は、例えば、ＦＥＴ等の半導体スイッチやリレーであり、ＢＭ５０からの指令（制御信号）に応答して、正極側の電力ライン３５を開放することで、組電池３０の電流を遮断する機能を果たす。
【００３０】
変位検出部４７は、バッテリパック２０の内部に設けられており、バッテリパック２０の変位を検出する機能を果たしている。具体的には、バッテリパック２０の位置の変位の有無やレベルを検出する。変位検出部４７は、例えば、振動センサにより構成することが出来る。また、振動センサ以外にも、加速度センサや位置センサにより構成することが出来る。変位検出部４７は、信号線によってＢＭ５０に接続されており、変位検出部４７の検出値は、ＢＭ５０に取り込まれる構成になっている。
【００３１】
ＢＭ５０は、バッテリパック２０の内部に設けられており、電圧検出回路６０と、制御部７０とを備える。電圧検出回路６０は、検出ラインを介して、各二次電池３１の両端にそれぞれ接続され、制御部７０からの指示に応答して、各二次電池３１の電圧及び組電池３０の総電圧Ｖを測定する機能を果たす。
【００３２】
制御部７０は、中央処理装置（以下、ＣＰＵ）７１と、メモリ７３と、通信部７５とを含む。制御部７０は、電流検出抵抗４１、電圧検出回路６０、サーミスタ４３の検出する電流、電圧、温度の情報より組電池３０の状態を監視すると共に、電流遮断装置４５を制御する機能を果たす。メモリ７３には、組電池３０を監視するための監視プログラム、後述する電流遮断実行制御や電流遮断解除制御を実行するプログラム、及びそれらプログラムの実行に必要なデータが記憶されている。また、通信部７５は、車両ＥＣＵ（Electronic Control Unit）等の外部機器と通信する機能を果たす。
【００３３】
２．制御部７０による電流遮断制御とその自動解除
図２は電流遮断実行制御の処理の流れを示すフローチャート図、図３は電流遮断解除制御の処理の流れを示すフローチャート図である。図４は駐車後における電流遮断装置の作動状態、電源ラインの接続状態の遷移をまとめた図表である。
【００３４】
組電池３０は、エンジン始動装置１０Ａをいつでも駆動できるように、規定の容量を維持しておく必要がある。しかしながら、駐車中、組電池３０は充電されないため、駐車中、電力を消費して容量が規定値を下回ると、エンジン始動装置１０Ａを駆動することが出来ず、車両をクランキングできない恐れが生じる。そこで、制御部７０は、組電池３０の状態監視と並行して、図２に示す電流遮断実行制御を行う。
【００３５】
具体的に説明すると、電流遮断実行制御は、Ｓ１０、Ｓ２０の２ステップから構成されており、制御部７０は、組電池３０の状態監視と並行して、車両が駐車状態か判定する処理を実行する（Ｓ１０）。本例では、車両が駐車状態であるか否かを、組電池３０に流れる電流から判断する。
【００３６】
すなわち、制御部７０は、電流検出抵抗４１より検出される電流を所定値Ｘａ（一例として「暗電流」の最大値であり、５０ｍＡ）と比較する処理を行い、検出した電流が所定値Ｘａ以下の状態が所定期間（一例として１２時間）継続する場合は、駐車状態であると判断する。尚、「暗電流」とは、イグニッションキーを抜いた状態で、全てのドアを閉め、全スイッチ類をＯＦＦにしても、時計やオーディオ、セキュリティ装置、車載ＥＣＵのメモリ等により消費される電流である。
【００３７】
そして、駐車状態であると判断した場合、制御部７０は、電流遮断処理を実行する。具体的には、電流遮断装置４５に遮断信号を出力して電流遮断装置４５を作動させる（Ｓ２０、図４の時刻Ｔ２）。これにより、電流遮断装置４５はオープン状態となることから、正極側の電源ライン３５Ａが開放した状態となり、組電池３０は負荷１０及び車両発電機１１から切り離される。そのため、駐車中、組電池３０の容量が低下するのを抑えることが可能であることから、駐車した車両を走行させる時に、クランキングできなくなる不具合を抑制することが出来る。
【００３８】
また、制御部７０は、電流遮断処理の実行後、図３に示す電流遮断解除制御を行う。電流遮断解除制御はＳ５０、Ｓ６０の２ステップから構成されており、制御部７０は、まず、「事前動作」が実行されたか検出する処理（Ｓ５０）を行う。尚、「事前動作」とは、例えば、ユーザが車両のドアを開けたり、車両のシートに乗り込むなど、車両を走行させるため、事前に行う動作である。本例では、車両の駐車中、制御部７０は、変位検出部４７の出力をモニタし、バッテリパック２０に位置の変位が検出された場合、「事前動作」が実行されたと判断し、変位が検出されない場合は「事前動作」は実行されていないと判断する。
【００３９】
すなわち、ユーザが、駐車している車両のドアを開閉すると、その時の振動が車両の車体を介してバッテリパック２０に伝わり、バッテリパック２０の位置が変位する。また、ユーザが、駐車している車両のシートに乗り込むと、サンペンションで車体が沈むことから、バッテリパック２０の位置が変位する。そのため、バッテリパック２０の位置の変位を検出することで、「事前動作」が実行されたか否かを検出することが出来る。
【００４０】
制御部７０は、「事前動作」の実行を検出すると、電流遮断を解除する処理（リセット処理）を行う。具体的には、電流遮断装置４５に遮断解除信号を出力して、電流遮断装置４５の作動を解除する（Ｓ６０、図４の時刻Ｔ６）。これにより、電流遮断装置４５はクローズ状態になるから、正極側の電源ライン３５Ａが閉じた状態となり、組電池３０は負荷１０及び車両発電機１１と電気的に接続される。そのため、ユーザがイグニッションキーを差して回すと、組電池３０を電源としてエンジン始動装置１０Ａが駆動し、車両はクランキングする。そのため、駐車中の車両は、走行可能となる。
【００４１】
３．効果説明
本構成では、車両の駐車状態を検出すると、制御部７０が電流遮断装置４５を作動させ、組電池３０から負荷への電流を遮断する。そのため、駐車中に組電池３０の容量が低下すること抑えることが出来、駐車中の車両がクランキング出来なくなることを防止できる。また、ユーザの事前動作を検出した場合、制御部７０は電流遮断装置４５の作動を解除して電流の遮断を自動的に解除する。そのため、電流遮断装置４５の解除操作の手間を軽減することが可能である。
【００４２】
また、本構成では、組電池３０はリチウムイオン二次電池３１である。リチウムイオン二次電池３１は、電池の特性から、電池の状態（電流値や電圧値など）を監視する監視装置を備えている。そのため、監視装置の機能を利用することで、電流検出部４１や制御部７０を追加することなく、電流遮断装置４５を制御するシステムを構成することが可能となる。そのため、ハードウエアの追加が少なくて済み、コストアップが少ない。
【００４３】
また、オートマチック車は、エンジン始動装置１０Ａを駆動させる以外、クランキング出来ないことから、エンジン始動装置１０Ａが駆動できない状態にならないように、組電池３０の容量を特に維持しておく必要がある。本技術の適用により、組電池３０の容量を維持することが出来るようになるため、クランキングできなくなることで、オートマチック車が走行不能になることを未然に防止することが可能となる。
【００４４】
＜実施形態２＞
実施形態１では、車両の駐車状態を組電池３０の電流値から判断した。実施形態２は、駐車状態の判断方法が実施形態１と相違している。具体的に説明すると、制御部７０は、変位検出部４７の出力からバッテリパック２０の変位を検出し、変位の無い状態が所定期間（一例として１２時間）継続する場合は、駐車状態であると判断する。
【００４５】
尚、バッテリパック２０に変位の無い状態が所定期間継続する場合に、駐車状態であると判断することが出来る理由は、次の通りである。走行中、路面の凹凸や加減速により、車体に振動が加わる。また、車両が停車中の場合でも、いずれ走行状態に移行することで、所定期間内には、車体に振動が加わる。バッテリパック２０の変位が検出されない状態が所定期間継続するということは、その間、車体に全く振動が加わらなかったという事であり、車両が走行中でも停車中でもない状態、すなわち駐車状態であると判断できる。
【００４６】
そして、制御部７０は、駐車状態であると判断した場合、電流遮断装置４５に遮断信号を出力して電流遮断装置４５を作動させる（図２、Ｓ２０）。これにより、電流遮断装置４５はオープン状態となることから、正極側の電源ラインが開放した状態となり、組電池３０は車両の負荷から切り離される。そのため、駐車中、組電池３０の容量が低下するのを抑えることが可能である。そのため、実施形態１の場合と同様に、駐車した車両を走行させる時に、クランキングできなくなる不具合を抑制することが出来る。
【００４７】
＜実施形態３＞
図５を参照して、実施形態３を説明する。図５は、実施形態３に適用される電流遮断実行制御の処理の流れを示すフローチャート図である。実施形態１では、電流遮断実行制御をＳ１０、Ｓ２０の２ステップから構成したが、実施形態３では、Ｓ１５のステップを追加しており、電流遮断処理を実行する条件が、実施形態１と相違している。
【００４８】
具体的に説明すると、Ｓ１５の処理は、組電池３０の容量を規定値（クランキングを実行するため少なくとも保持する事が好ましい容量）と比較する処理を行う。そして、車両が駐車状態であり（Ｓ１０、ＹＥＳ）、かつ組電池３０の容量が規定値の場合（Ｓ１５、ＹＥＳ）に電流遮断処理を実行する。本構成では、車両が駐車状態であると判断されても、組電池３０の容量が規定値以上（Ｓ１５、ＮＯ）の期間は、電流遮断処理が実行されない。そのため、組電池３０の使用可能期間が長くなるというメリットがある。尚、組電池３０の容量（残存容量）は、容量の初期値と充放電電流の積算値とから算出することが出来る。
【００４９】
＜実施形態４＞
図６を参照して、実施形態４を説明する。図６は、実施形態４に適用される電流遮断解除制御の処理の流れを示すフローチャート図である。実施形態１では、電流遮断解除制御をＳ５０、Ｓ６０の２ステップから構成したが、実施形態４では、Ｓ５５のステップを追加しており、電流遮断を解除する処理を実行する条件が、実施形態１と相違している。
【００５０】
具体的に説明すると、制御部７０は、実施形態１と同様にＳ２０の電流遮断処理を実行すると、その後、図６に示す電流遮断解除制御を開始し、まず、「事前動作」が実行されたか検出する処理を行う（Ｓ５０）。そして、「事前動作」を検出すると、制御部７０は、その後、組電池３０は「正常」か、判断する処理を実行する（Ｓ５５）。本例では、バッテリパック２０が正常かどうかの判断を、以下の２つの条件で判断している。
【００５１】
（１）組電池３０の電流、電圧、温度のデータを正常に計測できているか。
（２）組電池３０の電流、電圧、温度のデータが使用範囲内であるか。
【００５２】
制御部７０は組電池３０の電流、電圧、温度のデータが全て正常に計測出来ていて、かつ、計測した電流、電圧、温度のデータが全て使用範囲にあれば、バッテリパック２０は「正常」と判断する。
【００５３】
一方、電流、電圧、温度のデータが計測できないなど、計測に何等かの異常（センサの故障や断線など）がある場合、又は計測は正常でも、計測値が１つでも使用範囲外の場合、バッテリセル２０は異常であると判断する。尚、電流、電圧、温度のデータは、電流検出抵抗４１の電圧、電圧検出回路６０、サーミスタ４３の出力より検出することが出来る。
【００５４】
そして、バッテリパック２０は「正常」と判断した場合（Ｓ５５、ＹＥＳ）、制御部７０は、電流遮断を解除する処理（リセット処理）を行う。具体的には、電流遮断装置４５に遮断解除信号を出力して、電流遮断装置４５の作動を解除する（Ｓ６０）。これにより、電流遮断装置４５はクローズ状態になるから、電流の遮断状態が解除され、組電池３０は負荷１０及び車両発電機１１と電気的に接続される。
【００５５】
一方、バッテリパック２０は「異常」と判断した場合（Ｓ５５、ＮＯ）、制御部７０は、電流遮断を解除する処理を実行せず、電流の遮断状態を維持する。そのため、組電池３０は負荷１０及び車両発電機１１から切り離された状態を維持する。このように本構成では、事前動作の実行を検出しても、組電池３０の異常を検出された場合、電流遮断を解除しない。このようにすることで、異常なバッテリパック２０が使用されることを抑制することが可能となる。
【００５６】
＜実施形態５＞
図７、図８を参照して実施形態５を説明する。図７は実施形態５に適用される電流遮断実行制御の処理の流れを示すフローチャート図、図８は実施形態５に適用される電流遮断解除制御の処理の流れを示すフローチャート図である。
【００５７】
実施形態１では、車両の駐車状態を検出した場合に、電流遮断装置４５を作動させて組電池３０から負荷１０への電流を遮断するようにした。実施形態５では組電池３０の異常を検出した場合に、電流遮断装置４５を作動させて電流を遮断する。
【００５８】
具体的に説明すると、実施形態５に適用される電流遮断制御（図７）は、Ｓ３０、Ｓ３５、Ｓ４０の３ステップから構成されている。そして、制御部７０は、組電池３０の状態を監視しつつ、組電池３０の電流、電圧、温度をモニタし、組電池３０が異常かどうか判定する処理を行う（Ｓ３０）。尚、本例では、これら電流、電圧、温度のデータが全て正常値であれば、組電池３０は「正常」と判断し、１つでも異常値があれば、組電池３０は異常であると判断する。
【００５９】
そして、組電池３０が異常と判断される場合（Ｓ３０、ＹＥＳ）、制御部７０は、まず、メモリ７３にアクセスして、フラグＦを「０」から「１」に書き換える処理を行う（Ｓ３５）。尚、フラグＦの初期値は「０」であり、組電池３０が異常と判断される場合に限り、「１」に書き換えられる。
【００６０】
そして、制御部７０は、フラグＦの書き換えに続いて、電流遮断処理を実行する（Ｓ４０）。電流遮断処理は、実施形態１と同様の処理（Ｓ２０）であり、制御部７０は、電流遮断装置４５に遮断信号を出力して電流遮断装置４５を作動させる。これにより、電流遮断装置４５はオープン状態となることから、正極側の電源ラインが開放した状態となり、組電池３０は負荷１０及び車両発電機１１から切り離される。
【００６１】
このように、組電池３０が異常な場合、組電池３０が車両から切り離されるので、組電池３０が異常な状態で使用されることを抑制することが出来る。そのため、組電池３０を保護することが出来る。
【００６２】
また、実施形態５では、図７に示す電流遮断実行制御だけでなく、図２に示す電流遮断実行制御も並行して行う。そのため、車両の駐車状態が検出された場合には、実施形態１と同様に、電流遮断処理（Ｓ２０）が実行される。
【００６３】
また、制御部７０は、「車両の駐車検出」又は「組電池３０の異常検出」により、電流遮断処理（Ｓ２０、Ｓ４０）を実行すると、その後、図８に示す、電流遮断解除制御を実行する。図８に示す電流遮断解除制御は、Ｓ５０、Ｓ５７、Ｓ６０の３ステップから構成されており、制御部７０は、まず、「事前動作」が実行されたか検出する処理を行う（Ｓ５０）。
【００６４】
「事前動作」の実行を検出すると、その後、制御部７０は、フラグＦは「ゼロ」か、判定する処理を行う（Ｓ５７）。そして、フラグＦが「ゼロ」の場合（すなわち、駐車状態の検出により電流遮断処理が実行された場合）、制御部７０は、電流遮断を解除する処理（リセット処理）を行う。具体的には、電流遮断装置４５に遮断解除信号を出力して、電流遮断装置４５の作動を解除する（Ｓ６０）。これにより、電流遮断装置４５はクローズ状態になるから、正極側の電源ラインが閉じた状態となり、組電池３０は車両の負荷と電気的に接続される。
【００６５】
一方、フラグＦが「ゼロ」の場合（すなわち、組電池３０の異常を検出して電流遮断処理を実行した場合）、制御部７０は、事前動作の実行を検出しても、電流遮断を解除する処理を実行せず、電流の遮断状態を維持する。このようにすることで、異常な組電池３０が使用されることを抑制することが可能となる。
【００６６】
＜実施形態６＞
図９を参照して、実施形態５を説明する。図９は、実施形態６に適用される電流遮断解除制御の処理の流れを示すフローチャート図である。実施形態１では、電流遮断解除制御をＳ５０、Ｓ６０の２ステップから構成したが、実施形態６では、Ｓ７０、Ｓ８０の２ステップを追加しており、電流遮断処理を解除した後、車両が所定期間内に走行状態に移行しなければ、電流遮断処理を再実行する点が、実施形態１と相違している。
【００６７】
具体的に説明すると、制御部７０は、実施形態１と同様にＳ２０の電流遮断処理を実行すると、その後、図９に示す電流遮断解除制御を開始し、まず、「事前動作」が実行されたか検出する処理を行う（Ｓ５０）。
【００６８】
そして、「事前動作」の実行を検出した場合、制御部７０は、電流遮断を解除する処理（リセット処理）を行う。具体的には、電流遮断装置４５に遮断解除信号を出力して、電流遮断装置４５の作動を解除する（Ｓ６０）。これにより、電流遮断装置４５はクローズ状態になるから、電流の遮断状態が解除され、組電池３０は負荷１０及び車両発電機１１と電気的に接続される。
【００６９】
次に、制御部７０は電流遮断の解除後、所定期間内（例えば３０分以内）に、車両が走行状態に移行したか判断する処理を行う（Ｓ７０）。本例では、組電池３０の電流値が、所定期間内に所定値Ｘｂ（エンジン始動装置１０Ａの動作電流であり、一例として１００Ａ）以上になれば、車両は走行状態に移行したと判断し、所定値Ｘｂを超えなければ、車両は走行状態に移行していないと判断する。
【００７０】
そして、走行状態に移行していないと判断される場合（Ｓ７０、ＮＯ）、制御部７０は電流遮断処理を再実行する（Ｓ８０）。具体的には、電流遮断装置４５に遮断信号を出力して、電流遮断装置４５を作動させる。これにより、電流遮断装置４５はオープン状態になるから、正極側の電源ラインが開放した状態となり、組電池３０は負荷１０及び車両発電機１１から切り離される。
【００７１】
このように「事前動作」が検出されても、車両が走行状態に移行しなければ、組電池３０を負荷１０から切り離すことで、組電池３０の容量が低下するのをより一層抑えることが可能である。
【００７２】
尚、電流遮断処理が再実行されても、その後、ユーザが駐車中の車両に対して運転前の事前動作を再実行すれば、制御部７０は、電流遮断処理を解除する処理（Ｓ６０）を行うため、組電池３０は車両に接続された状態となることから、車両は走行可能となる。
【００７３】
＜実施形態７＞
図１０を参照して、実施形態７を説明する。図１０は、実施形態７に適用されるバッテリパック１２０の電気的構成を示すブロック図である。実施形態１ではバッテリパック２０を自動４輪車に搭載したが、実施形態７では、バッテリパック１２０を自動二輪車に搭載している点が相違している。バッテリパック１２０は、自動二輪車のシート内に格納された状態で配置されており、外部から露出されない構造となっている。また、実施形態１では、「事前動作」が実行されたかどうかを、変位検出部４７の出力に基づいて判断する方法を例示したが、実施形態７では、自動二輪車に設置されたサイドスタンドスイッチ１５０の状態に基づいて判断する。
【００７４】
具体的に説明すると、サイドスタンドスイッチ１５０は、自動二輪車の車体を自立状態に支えるサイドスタンド（図略）に付設され、サイドスタンドの状態を検出するスイッチである。サイドスタンドスイッチ１５０は機械的な接点を有する機械式のスイッチであり、例えば、サイドスタンドが起立した状態（車体が自立するように支える状態）では、接点が開いてオフ状態となり、サイドスタンドを跳ね上げて格納した状態では、接点が閉じてオン状態となる。サイドスタンドスイッチ１５０とＢＭ５０は信号線で接続されており、制御部７０は、例えば接点の開閉による電圧の変化から、サイドスタンドスイッチ１５０の状態（オン状態、オフ状態）を検出できる構成となっている。尚、サイドスタンドスイッチ１５０が本発明の「外部スイッチ」の一例である。
【００７５】
実施形態７では、駐車中の自動二輪車に対して、起立したサイドスタンドを跳ね上げて格納する事前動作をユーザが行うと、サイドスタンドスイッチ１５０が「オフ状態」から「オン状態」に切り換わる。従って、制御部７０は、サイドスタンドスイッチ１５０の「オフ状態」から「オン状態」への切り換わりを検出することにより、「事前動作」が実行されたと判断することが出来る。
【００７６】
サイドスタンドスイッチ１５０は、サイドスタンドが起立した状態のままエンジンがかけられることを防止することを目的に、自動二輪車に標準装備されている。尚、サイドスイッチ１５０は自動二輪車の始動系などの電気系統に対して配線されているが、図１０では、バッテリパック２０の制御部７０への配線（信号線）だけを図示し、自動二輪車の電気系統に対する配線は省略されている。実施形態７では、そうした標準装備されているサイドスタンドスイッチ１５０の出力に基づいて、運転前の「事前動作」を検出する。そのため、変位検出部４７を廃止することが可能であり、実施形態１の構成と比較して、バッテリパック１２０の部品点数を少なくすることが出来るというメリットがある。
【００７７】
＜他の実施形態＞
本発明は上記記述及び図面によって説明した実施形態に限定されるものではなく、例えば次のような実施形態も本発明の技術的範囲に含まれる。
【００７８】
（１）上記実施形態１では、バッテリパック２０を搭載する「車両」の一例に、自動四輪車を例示したが、本技術の適用対象は、エンジンを有する車両であれば、特に制約はなく、例えば実施形態７のように自動二輪車を適用対象としてもよく、また、自動三輪車を適用対象としてもよい。また、本技術は、クラッチにより変速機を切り換えるマニュアル車両、自動変速機を有するオートマチック車両のいずれの車両に対しても適用することが可能であるが、オートマチック車両に適用することが好ましい。マニュアル車両は、エンジン始動装置が駆動しなくなった場合でも、いわゆる押しがけによりクランキングが可能であるのに対して、オートマチック車両は、エンジン始動装置を駆動しない限り、クランキングできないからである。
【００７９】
（２）上記実施形態１では、蓄電素子の一例に、リチウムイオン二次電池３１を例示したが、電池の種類はリチウムイオン二次電池に限定されるものではなく、例えば、鉛蓄電池など、他の二次電池であってもよい。また、電気化学現象を伴うキャパシタ等であってもよい。また、実施形態１では、電流遮断装置４５を正極側の電源ライン３５Ａに設けた例を示したが、負荷への電源ラインであれば、いかなる場所に設置されていてもよく、例えば、負極側の電源ライン３５Ｂに設けるようにしてもよい。
【００８０】
（３）上記実施形態１では、車両が駐車状態であるかどうかを、組電池３０の電流値を利用して検出した。また、実施形態２では、変位検出部４７の出力を利用して検出した。駐車状態の検出は上記以外の方法で行ってもよい。例えば、車両に駐車ボタン（ユーザ操作）が設定されている場合は、駐車ボタンの入切に基づいて駐車状態を検出してもよい。
【００８１】
（４）上記実施形態１では、組電池３０の電流を所定値Ｘａと比較することにより、車両の駐車状態であるかどうかを判断した。実施形態１では、所定値Ｘａを「暗電流」の最大値としたが、例えば、車内灯など駐車状態でも使用される可能性がある負荷の消費電流を、「暗電流」の最大値に対して加えた値を、所定値Ｘａとしてもよい。
【００８２】
（５）上記実施形態７では、バッテリパック１２０を自動二輪車に搭載した例を示した。そして、運転前の「事前動作」が実行されたかどうかを、サイドスタンドスイッチ１５０の出力信号に基づいて判断する例を説明した。サイドスタンド式の場合、自動二輪車は少し傾いた状態で自立する。そのため、駐車された自動二輪車に乗る場合、ユーザは自動二輪車の傾きを起こしてサイドスタンドを跳ね上げる事前動作を行うことから、その際に自動二輪車に角度の変位が生じる。従って、角度センサ（変位検出部の一例）を用いて自動二輪車に搭載されたバッテリパックの角度の変位を検出することにより、運転前の「事前動作」が実行されたかどうか、判断することが出来る。
【００８３】
（６）上記実施形態７では、バッテリパック１２０を自動二輪車に搭載した例を示した。そして、運転前の「事前動作」が実行されたかどうかを、サイドスタンドスイッチ１５０の出力信号に基づいて判断する例を説明した。これ以外にも、例えば、センタースタンド式の自動二輪車であれば、運転前の「事前動作」が実行されたかどうかを、センタースタンドスイッチの出力信号に基づいて判断するようにしてもよい。
【符号の説明】
【００８４】
２０...バッテリパック（本発明の「バッテリ装置」の一例）
３０...組電池
３１...二次電池（本発明の「蓄電素子」の一例）
４１...電流検出抵抗（本発明の「電流検出部」の一例）
４５...電流遮断装置
４７...変位検出部
５０...バッテリマネージャ（本発明の「監視装置」の一例）
６０...電圧検出回路
７０...制御部
１５０...サイドスタンドスイッチ（本発明の「外部スイッチ」の一例）
【図１】
2017136901.tif 000003
【図２】
2017136901.tif 000004
【図３】
2017136901.tif 000005
【図４】
2017136901.tif 000006
【図５】
2017136901.tif 000007
【図６】
2017136901.tif 000008
【図７】
2017136901.tif 000009
【図８】
2017136901.tif 000010
【図９】
2017136901.tif 000011
【図１０】
2017136901.tif 000012